(57)【要約】【課題】  自動麻雀卓の卓上表面に敷かれている卓上マットの配列牌上昇開口部位に注意喚起色領域を形成して、点棒のやり取りの際にプレーヤーの注意を喚起して配列牌上昇開口部位に点棒が投げ置かれるのを極力防いで、点棒を配列牌上昇開口部内に落とす割合を少なくして自動麻雀卓の故障を減らし、故障による自動麻雀卓の稼働率の低下を防ぐことにある。【解決手段】  自動麻雀卓１の卓上表面２に敷かれている卓上マット２１の配列牌上昇開口部５の開口部位表面に、卓上マット２１の色と異なる色からなる注意喚起色領域６を形成した。【選択図】        図１
0003104013.tif 000002
【実用新案登録請求の範囲】
【請求項１】
自動麻雀卓の卓上表面に敷かれている卓上マットの配列牌上昇開口部の開口部位表面に、卓上マットの色と異なる色からなる注意喚起色領域を形成したことを特徴とする自動麻雀卓の卓上マット。
【請求項２】
自動麻雀卓の卓上表面に敷かれている卓上マットの配列牌上昇開口部の外周縁表面に、卓上マットの色と異なる色の注意喚起色枠からなる注意喚起色領域を形成したことを特徴とする自動麻雀卓の卓上マット。
【請求項３】
自動麻雀卓の卓上表面に敷かれている卓上マットの配列牌上昇開口部の昇降蓋の内周縁表面に、卓上マットの色と異なる色の注意喚起色枠からなる注意喚起色領域を形成したことを特徴とする自動麻雀卓の卓上マット。
【請求項４】
自動麻雀卓の卓上表面に敷かれている卓上マットの配列牌上昇開口部の外周縁表面及び昇降蓋の内周縁表面に、卓上マットの色と異なる色の注意喚起色枠からなる注意喚起色領域を形成したことを特徴とする自動麻雀卓の卓上マット。
【請求項５】
自動麻雀卓の卓上表面に敷かれている卓上マットの配列牌上昇開口部の昇降蓋表面に、卓上マットの色と異なる色の注意喚起色面からなる注意喚起色領域を形成したことを特徴とする自動麻雀卓の卓上マット。
【考案の詳細な説明】
【技術分野】
【０００１】
この考案は、洗牌から卓上への牌の整列まで自動的に行える自動麻雀卓に係り、特に、自動麻雀卓の卓上表面に敷かれている卓上マットの配列牌上昇開口部位に注意喚起色領域を形成して、点棒のやり取りの際にプレーヤーの注意を喚起して配列牌上昇開口部位に点棒が投げ置かれるのを極力防いで、点棒を配列牌上昇開口部内に落とす割合を減少する自動麻雀卓の卓上マットに関するものである。
【背景技術】
【０００２】
近年、麻雀店には洗牌から卓上への牌の整列まで自動的に行える自動麻雀卓が設置されている。自動麻雀卓は、その正方形の卓上中央にサイコロを自動的に振る円形の自動サイコロ振器が設置され、その周囲には装置内部で洗牌するために牌を落とし込む開閉板が設けられ、各プレーヤーの前面の卓上には配列牌上昇開口部がそれぞれ形成されていて、洗牌された麻雀牌がこの配列牌上昇開口部から上がり出る構造になっている。又卓上の表面には単一色からなる卓上マットが敷かれている。
【特許文献１】特開平０４−２５３８８４
【特許文献２】実開昭６１−１３９２７９
【特許文献２】実開平０５−０８４３８４
【考案の開示】
【考案が解決しようとする課題】
【０００３】
麻雀ゲームにおいては、ワンゲーム終了の度に点棒のやり取りが行われる。点棒のやり取りは敗者と勝者のプレーヤーの間でプレーヤーの前面の卓上に向かって点棒をそれぞれ投げることにより一般に行われる。
前記したように、各プレーヤーの前面の卓上には配列牌上昇開口部がそれぞれ形成されていて、洗牌された麻雀牌がこの配列牌上昇開口部から上がり出るとき、配列牌上昇開口部は数秒の短い時間開く。
この場合において、開く前に配列牌上昇開口部上に点棒が投げ置かれていると、配列牌上昇開口部が開いた瞬間に点棒がその内部に落ちる。また、配列牌上昇開口部が開いているときに点棒が誤って開口部内に投げ込まれることもある。点棒が配列牌上昇開口部内に落ちたり投げ込まれると、自動麻雀卓の故障の原因となる。特に、麻雀店においては、自動麻雀卓が故障して修理による回復するまでの時間は稼働損失になるので、このような事態になるのを極力防ぎたいという要望がある。
【０００４】
この考案は、上記のような課題に鑑み、その課題を解決すべく創案されたものであって、その目的とするところは、自動麻雀卓の卓上表面に敷かれている卓上マットの配列牌上昇開口部位に注意喚起色領域を形成して、点棒のやり取りの際にプレーヤーの注意を喚起して配列牌上昇開口部位に点棒が投げ置かれるのを極力防いで、点棒を配列牌上昇開口部内に落とす割合を少なくして自動麻雀卓の故障を減らし、故障による自動麻雀卓の稼働率の低下を防ぐことのできる自動麻雀卓の卓上マットを提供することにある。
【課題を解決するための手段】
【０００５】
以上の目的を達成するために、請求項１の考案は、自動麻雀卓の卓上表面に敷かれている卓上マットの配列牌上昇開口部の開口部位表面に、卓上マットの色と異なる色からなる注意喚起色領域を形成した手段よりなるものである。
【０００６】
また、請求項２の考案は、自動麻雀卓の卓上表面に敷かれている卓上マットの配列牌上昇開口部の外周縁表面に、卓上マットの色と異なる色の注意喚起色枠からなる注意喚起色領域を形成した手段よりなるものである。
【０００７】
また、請求項３の考案は、自動麻雀卓の卓上表面に敷かれている卓上マットの配列牌上昇開口部の昇降蓋の内周縁表面に、卓上マットの色と異なる色の注意喚起色枠からなる注意喚起色領域を形成した手段よりなるものである。
【０００８】
また、請求項４の考案は、自動麻雀卓の卓上表面に敷かれている卓上マットの配列牌上昇開口部の外周縁表面及び昇降蓋の内周縁表面に、卓上マットの色と異なる色の注意喚起色枠からなる注意喚起色領域を形成した手段よりなるものである。
【０００９】
また、請求項５の考案は、自動麻雀卓の卓上表面に敷かれている卓上マットの配列牌上昇開口部の昇降蓋表面に、卓上マットの色と異なる色の注意喚起色面からなる注意喚起色領域を形成した手段よりなるものである。
【考案の効果】
【００１０】
以上の記載より明らかなように、請求項１の考案に係る自動麻雀卓の卓上マットによれば、自動麻雀卓の卓上表面に敷かれている卓上マットの配列牌上昇開口部の開口部位表面に、卓上マットの色と異なる色からなる注意喚起色領域を形成したことにより、各プレーヤーは卓上マット表面と異なる色の注意喚起色領域を通じて配列牌上昇開口部があることを視覚を通じて容易に認識し、注意喚起色領域を避けて点棒を投げ置くことになり、注意喚起色領域が形成された配列牌上昇開口部内に点棒が落ちたり投げ込まれたりするのを極力減らすことができる。従って、点棒が配列牌上昇開口部内に落ちたり投げ込まれたりすることが原因で生じる自動麻雀卓の故障回数を減らすことができ、故障による自動麻雀卓の稼働率の低下を極力防ぐことが可能になる。しかも、卓上マットに該マットと異なる色の注意喚起色領域を形成するという非常に簡単な構成でこれを実現することができる。
【００１１】
また、請求項２の考案に係る自動麻雀卓の卓上マットによれば、自動麻雀卓の卓上表面に敷かれている卓上マットの配列牌上昇開口部の外周縁表面に、卓上マットの色と異なる色の注意喚起色枠からなる注意喚起色領域を形成したことにより、各プレーヤーは卓上マット表面と異なる色の注意喚起色枠を通じて注意喚起色枠の内側に配列牌上昇開口部があることを視覚を通じて容易に認識できる。しかも配列牌上昇開口部の外周縁表面に形成した注意喚起色枠は、昇降蓋と異なり昇降しないため、各プレーヤーの視界から隠れることがなく、各プレーヤーは常にその注意喚起色枠を認識でき、注意喚起色枠を避けて点棒を投げ置くことになり、注意喚起色枠の内側の配列牌上昇開口部内に点棒が落ちたり投げ込まれたりするのを極力減らすことができる。従って、点棒が配列牌上昇開口部内に落ちたり投げ込まれたりすることが原因で生じる自動麻雀卓の故障回数を減らすことができ、故障による自動麻雀卓の稼働率の低下を極力防ぐことが可能になる。しかも、卓上マットに該マットと異なる色の注意喚起色枠を形成するという非常に簡単な構成でこれを実現することができる。
【００１２】
また、請求項３の考案に係る自動麻雀卓の卓上マットによれば、自動麻雀卓の卓上表面に敷かれている卓上マットの配列牌上昇開口部の昇降蓋の内周縁表面に、卓上マットの色と異なる色の注意喚起色枠からなる注意喚起色領域を形成したことにより、各プレーヤーは卓上マット表面と異なる色の注意喚起色枠を通じて注意喚起色枠上に配列牌上昇開口部があることを視覚を通じて容易に認識でき、各プレーヤーは注意喚起色枠を避けて点棒を投げ置くことになり、注意喚起色枠の内側の配列牌上昇開口部内に点棒が落ちたり投げ込まれたりするのを極力減らすことができる。従って、点棒が配列牌上昇開口部内に落ちたり投げ込まれたりすることが原因で生じる自動麻雀卓の故障回数を減らすことができ、故障による自動麻雀卓の稼働率の低下を極力防ぐことが可能になる。しかも、卓上マットに該マットと異なる色の注意喚起色枠を形成するという非常に簡単な構成でこれを実現することができる。また、ゲーム開始時には注意喚起色枠が形成された昇降蓋の上には配列牌が載っていて、配列牌によって注意喚起色枠が隠されるためにゲーム開始当初においては注意喚起色枠が目障りとなるのを回避することができる。
【００１３】
また、請求項４の考案に係る自動麻雀卓の卓上マットによれば、自動麻雀卓の卓上表面に敷かれている卓上マットの配列牌上昇開口部の外周縁表面及び昇降蓋の内周縁表面に、卓上マットの色と異なる色の注意喚起色枠からなる注意喚起色領域を形成したことにより、各プレーヤーは卓上マット表面と異なる色の注意喚起色枠によって配列牌上昇開口部があることを視覚を通じて容易に認識できる。しかも配列牌上昇開口部の外周縁表面に形成した注意喚起色枠は、昇降蓋と異なり昇降しないため、各プレーヤーの視界から隠れることがなく、各プレーヤーは常にその注意喚起色枠を認識でき、注意喚起色枠を避けて点棒を投げ置くことになる。さらに各プレーヤーには配列牌上昇開口部が外周縁表面の注意喚起色枠によって常に認識されると共に、昇降蓋の下降によって内周縁表面の注意喚起色枠が視界から消えて注意喚起色枠の枠太さが半分となることによって、各プレーヤーは配列牌上昇開口部が開いていることを視覚的に感じて更に注意力が喚起され、注意喚起色枠の内側の配列牌上昇開口部内に点棒が落ちたり投げ込まれたりするのを極力減らすことができる。従って、点棒が配列牌上昇開口部内に落ちたり投げ込まれたりすることが原因で生じる自動麻雀卓の故障回数を減らすことができ、故障による自動麻雀卓の稼働率の低下を極力防ぐことが可能になる。しかも、卓上マットに該マットと異なる色の注意喚起色枠を形成するという非常に簡単な構成でこれを実現することができる。
【００１４】
また、請求項５の考案に係る自動麻雀卓の卓上マットによれば、自動麻雀卓の卓上表面に敷かれている卓上マットの配列牌上昇開口部の昇降蓋表面に、卓上マットの色と異なる色の注意喚起色面からなる注意喚起色領域を形成したことにより、各プレーヤーは卓上マット表面と異なる色の注意喚起色面によって注意喚起色面上に配列牌上昇開口部があることを視覚を通じて容易に認識でき、しかも注意喚起色枠に比べて注意喚起色面は色部分の面積が広いため、注意喚起色枠よりも各プレーヤーに強く認識され、各プレーヤーは注意喚起色面を避けて点棒を投げ置くことになり、注意喚起色面の内側の配列牌上昇開口部内に点棒が落ちたり投げ込まれたりするのを極力減らすことができる。従って、点棒が配列牌上昇開口部内に落ちたり投げ込まれたりすることが原因で生じる自動麻雀卓の故障回数を減らすことができ、故障による自動麻雀卓の稼働率の低下を極力防ぐことが可能になる。しかも、卓上マットに該マットと異なる色の注意喚起色面を形成するという非常に簡単な構成でこれを実現することができる。また、ゲーム開始時には注意喚起色面が形成された昇降蓋の上には配列牌が載っていて、配列牌によって注意喚起色面が隠されるためにゲーム開始当初においては注意喚起色面が目障りとなるのを回避することができる。
【考案を実施するための最良の形態】
【００１５】
以下、図面に記載の考案を実施するための最良の形態に基づいて、この考案をより具体的に説明する。
【００１６】
図１において、自動麻雀卓１の卓上表面２は正方形の形状を有しており、その正方形の卓上中央にはサイコロを自動的に振る円形の自動サイコロ振器３が設置され、その周囲には装置内部で洗牌するために牌を落とし込む開閉板４が設けられ、各プレーヤーの前面の卓上表面２には配列牌上昇開口部５がそれぞれ形成されている。
【００１７】
各配列牌上昇開口部５には昇降蓋５１が取付けられている。昇降蓋５１は通常、卓上表面２に位置し閉じていて、洗牌された麻雀牌がこの配列牌上昇開口部５から上がり出る僅か数秒の間だけ下降して開く構造になっている。又卓上表面２には単一色からなる卓上マット２１が敷かれている。
【００１８】
各配列牌上昇開口部５は各プレーヤーに対して左右幅方向に横長の長方形になっている。そしてこの横長な長方形の各配列牌上昇開口部５の開口部位表面には卓上マット２１の色と異なる色からなる注意喚起色領域６がそれぞれ形成されている。
【００１９】
各配列牌上昇開口部５の開口部位表面には、配列牌上昇開口部５の外周縁表面５ａ部分、配列牌上昇開口部５の昇降蓋５１の内周縁表面５ｂ部分、又は配列牌上昇開口部５の昇降蓋表面５ｃ部分が含まれる。
【００２０】
注意喚起色領域６には、長方形の内部と外部を分ける境界線となる長方形の枠から構成される注意喚起色枠６１と、長方形の枠及び枠内部部分から構成される注意喚起色面６２のいずれもが含まれる。
【００２１】
注意喚起色枠６１の枠は、卓上マット２１の表面の色と異なる色からなる連続直線、点線又は破線などの線状から構成されたり、卓上マット２１の表面の色の異なる色からなる例えば、ＸＸＸＸＸ、◎◎◎◎◎、枠の太さの斜線などの文字や記号或いは図形などの各種の符号を連続して繰り返した繰返符号状から構成される。
【００２２】
また、注意喚起色面６２は、枠及び枠内部の全面が卓上マット２１の表面の色と異なる色で構成されていたり、枠及び枠内部に卓上マット２１の表面の色と異なる色で例えば一定のピッチで斜線などで構成されている。
【００２３】
注意喚起色領域６を構成する注意喚起色枠６１及び注意喚起色面６２は、卓上マット２１の表面の色の異なる単一色で通常構成されるが、必要に応じて卓上マット２１の表面の色と異なる２種類以上の色で構成されることもある。
【００２４】
図２に図示するものにあっては、自動麻雀卓１の卓上表面２の配列牌上昇開口部５の外周縁表面５ａに、卓上マット２１の表面の色と異なる色からなる長方形枠の注意喚起色枠６１が形成されている。注意喚起色枠６１は前記したように例えば線状の枠（図２（Ａ）（Ｂ））や繰返符号状の枠（図２（Ｃ））で構成される。
【００２５】
外周縁表面５ａは配列牌上昇開口部５を塞ぐ昇降蓋５１の外周縁側にあって、昇降蓋５１の表面と異なり昇降しない卓上表面２の一部を構成する長方形の外枠表面部分である。配列牌上昇開口部５の外周縁表面５ａに形成された注意喚起色枠６１は、昇降蓋５１と異なり昇降しないため、各プレーヤーの視界から隠れることがなく、各プレーヤーには常にその注意喚起色枠６１が認識されることになり、注意喚起色枠６１の内側に点棒が投げ置かれるのを極力防ぐことが可能となる。
【００２６】
図３に図示するものにあっては、自動麻雀卓１の卓上表面２の配列牌上昇開口部５の昇降蓋５１の内周縁表面５ｂに、卓上マット２１の表面の色と異なる色からなる長方形枠の注意喚起色枠６１が形成されている。注意喚起色枠６１は前記したように例えば線状の枠（図３（Ａ）（Ｂ））や繰返符号状の枠（図３（Ｃ））で構成される。
【００２７】
内周縁表面５ｂは配列牌上昇開口部５を塞ぐ昇降蓋５１の表面の内周縁側にあって、卓上表面２の一部を構成する長方形の内枠表面部分である。配列牌上昇開口部５の昇降蓋５１の内周縁表面５ｂに形成された注意喚起色枠６１は、昇降蓋５１が昇降するため、配列牌上昇時の数秒間各プレーヤーの視界から隠れることになるが短時間であり、各プレーヤーには配列牌上昇時以外では常にその注意喚起色枠６１が認識されることになり、注意喚起色枠６１の内側に点棒が投げ置かれるのを極力防ぐことが可能となる。また、ゲーム開始時には注意喚起色枠６１の上には配列牌が載っていて、配列牌によって注意喚起色枠６１が隠されるためにゲーム開始当初においては注意喚起色枠６１が目障りとなるのを回避することができる。
【００２８】
図４に図示するものにあっては、自動麻雀卓１の卓上表面２の配列牌上昇開口部５の外周縁表面５ａ及び昇降蓋５１の内周縁表面５ｂに、卓上マット２１の表面の色と異なる色からなる長方形枠の注意喚起色枠６１がそれぞれ形成されている。外周縁表面５ａ及び内周縁表面５ｂの注意喚起色枠６１は前記したように例えば線状の枠（図４（Ａ）（Ｂ））や繰返符号状の枠（図４（Ｃ））で構成される。
【００２９】
外周縁表面５ａは前記したように配列牌上昇開口部５を塞ぐ昇降蓋５１の外周縁側にあって、昇降蓋５１の表面と異なり昇降しない卓上表面２の一部を構成する長方形の外枠表面部分である。同様に内周縁表面５ｂは前記したように配列牌上昇開口部５を塞ぐ昇降蓋５１の表面の内周縁側にあって、卓上表面２の一部を構成する長方形の内枠表面部分である。
【００３０】
注意喚起色枠６１が形成された配列牌上昇開口部５の外周縁表面５ａは、前記したよう昇降蓋５１と異なり昇降しないため、各プレーヤーの視界から隠れることがなく、各プレーヤーには常にその注意喚起色枠６１が認識されることになり、注意喚起色枠６１の内側に点棒が投げ置かれるのを極力防ぐことが可能となる。
【００３１】
一方、配列牌上昇開口部５の昇降蓋５１の内周縁表面５ｂに形成された注意喚起色枠６１は、昇降蓋５１が昇降するため、配列牌上昇時の数秒間各プレーヤーの視界から隠れることになる。昇降蓋５１の下降時に内周縁表面５ｂに形成された注意喚起色枠６１は数秒間視界から隠れるが、外周縁表面５ａの注意喚起色枠６１が各プレーヤーの視界から隠れることはない。
【００３２】
このため、各プレーヤーには配列牌上昇開口部５が外周縁表面５ａの注意喚起色枠６１によって常に認識されると共に、昇降蓋５１の下降によって内周縁表面５ｂの注意喚起色枠６１が視界から消えて注意喚起色枠６１の枠太さが半分となることによって、各プレーヤーは配列牌上昇開口部５が開いていることを視覚的に感じることができ、点棒を開いている配列牌上昇開口部５内に落とさないように注意力が喚起されることになり、注意喚起色枠６１の内側に点棒が投げ置かれたり、開いた配列牌上昇開口部５内に点棒が投げ込まれるのを極力防ぐことが可能となる。
【００３３】
図５に図示するものにあっては、自動麻雀卓１の卓上表面２の配列牌上昇開口部５の昇降蓋５１の表面に、卓上マット２１の表面の色と異なる色からなる長方形の注意喚起色面６２が形成されている。注意喚起色面６２は前記したように枠及び枠内部の全面が卓上マット２１の表面の色と異なる色で構成（図５（Ａ））されたり、枠及び枠内部に卓上マット２１の表面の色と異なる色で例えば一定のピッチで斜線などで構成（図５（Ｂ））される。
【００３４】
昇降蓋５１の表面の全面に形成された注意喚起色面６２は、昇降蓋５１が昇降するため、配列牌上昇時の数秒間各プレーヤーの視界から隠れることになるが短時間であり、各プレーヤーには配列牌上昇時以外では常にその注意喚起色面６２が認識されることになり、しかも注意喚起色枠６１に比べて注意喚起色面６２は色部分の面積が広いため、注意喚起色枠６１よりも各プレーヤーに強く認識され、注意喚起色面６２の内側に点棒が投げ置かれるのを極力防ぐことが可能となる。また、ゲーム開始時には注意喚起色面６２の上には配列牌が載っていて、配列牌によって注意喚起色面６２が隠されるためにゲーム開始当初においては注意喚起色面６２が目障りとなるのを回避することができる。
【００３５】
次に、上記考案を実施するための最良の形態の構成に基づく作用について以下説明する。
自動麻雀卓１の卓上中央の周囲に形成された開閉板４は各プレーヤーに対して中央側に向かって斜め下向きに開く構造になっており、ワンゲーム終了時にスイッチを押して開閉板４を開き、各プレーヤーは開いた開閉板４に向かって牌を押し込むと、牌は斜め下向きに開いた開閉板４を滑って中央下部の装置内部に落とし込まれて装置内部で洗牌される。
【００３６】
この間、敗者と勝者のプレーヤーの間で点棒のやり取りが行われるが、前記したように点棒のやり取りは各プレーヤーの手前側の卓上マット２１の表面に点棒を投げ置くことにより通常行われる。
【００３７】
各プレーヤーの手前側の卓上マット２１の表面には配列牌上昇開口部５が形成されており、この配列牌上昇開口部５の開口部位には卓上マット２１の表面と異なる色の注意喚起色枠６１又は注意喚起色面６２からなる注意喚起色領域６が形成されている。
【００３８】
このため、各プレーヤーは卓上マット２１の表面と異なる色の注意喚起色領域６によって配列牌上昇開口部５があることを視覚を通じて容易に認識し、注意喚起色領域６を避けて点棒を投げ置くことになり、注意喚起色領域６が形成された配列牌上昇開口部５内に点棒が落ちたり投げ込まれたりするのを極力減らすことが可能となる。
【００３９】
その結果、点棒が配列牌上昇開口部５内に落ちたり投げ込まれたりすることが原因で生じる自動麻雀卓１の故障回数を減らすことができ、故障による自動麻雀卓１の稼働率の低下を極力防ぐことが可能になる。
【００４０】
なお、この考案は上記考案を実施するための最良の形態に限定されるものではなく、この考案の精神を逸脱しない範囲で種々の改変をなし得ることは勿論である。
【図面の簡単な説明】
【００４１】
【図１】この考案を実施するための最良の形態を示す自動麻雀卓の卓上表面の平面図である。
【図２】（Ａ）〜（Ｃ）はこの考案を実施するための最良の形態を示す卓上マットの配列牌上昇開口部の外周縁表面に注意喚起色枠が形成されたときの中間省略の部分平面図である。
【図３】（Ａ）〜（Ｃ）はこの考案を実施するための最良の形態を示す卓上マットの配列牌上昇開口部の昇降蓋の内周縁表面に注意喚起色枠が形成されたときの中間省略の部分平面図である。
【図４】（Ａ）〜（Ｃ）はこの考案を実施するための最良の形態を示す卓上マットの配列牌上昇開口部の外周縁表面及び昇降蓋の内周縁表面に注意喚起色枠がそれぞれ形成されたときの中間省略の部分平面図である。
【図５】（Ａ）〜（Ｂ）はこの考案を実施するための最良の形態を示す卓上マットの配列牌上昇開口部の昇降蓋表面に注意喚起色面が形成されたときの中間省略の部分平面図である。
【符号の説明】
【００４２】
１    自動麻雀卓
２    卓上表面
２１    卓上マット
３    自動サイコロ振器
４    開閉板
５    配列牌上昇開口部
５ａ  外周縁表面
５ｂ  内周縁表面
５ｃ  昇降蓋表面
５１    昇降蓋
６    注意喚起色領域
６１    注意喚起色枠
６２    注意喚起色面
【図１】
0003104013.tif 000003
【図２】
0003104013.tif 000004
【図３】
0003104013.tif 000005
【図４】
0003104013.tif 000006
【図５】
0003104013.tif 000007